(57)【要約】【課題】使用者の健康に優しく、経済的にも優れた空気調和機を提供する。【解決手段】外気温を検出する外気温検出手段２と、室内側空気の吸込み温度を検出する吸込み温度検出手段３と、外気温からの温度差を前記外気温に基づいて選定し、前記外気温と前記温度差とから第１の目標温度を設定する目標温度設定手段４と、前記第１の目標温度と前記吸込み温度とに応じて室内温度を制御する温度調整手段５と、第２の目標温度を入力する入力手段６とを具備し、前記第１の目標温度に基づく空気調和運転と、前記第２の目標温度に基づく空気調和運転のいずれか一方もしくは両方の運転を選択できるようにしたもので、室内・外を頻繁に出入りする使用者の温度に対する感じ方に応じた調和運転を選択でき、体調の変化や不快感を減少させることができる。【選択図】図１
2009092334.tif 000002
【特許請求の範囲】
【請求項１】
外気温を検出する外気温検出手段と、室内側空気の吸込み温度を検出する吸込み温度検出手段と、外気温からの温度差を前記外気温に基づいて選定し、前記外気温と前記温度差とから第１の目標温度を設定する目標温度設定手段と、前記第１の目標温度と前記吸込み温度とに応じて室内温度を制御する温度調整手段と、第２の目標温度を入力する入力手段とを具備し、前記第１の目標温度に基づく空気調和運転と、前記第２の目標温度に基づく空気調和運転のいずれか一方もしくは両方の運転を選択できるようにしたことを特徴とする空気調和機。
【請求項２】
目標温度設定手段は、吸込み温度に応じて、第１の目標温度と、第２の目標温度とを切り替えることを特徴とする請求項１に記載の空気調和機。
【発明の詳細な説明】
【技術分野】
【０００１】
本発明は、空気調和機に関するものである。
【背景技術】
【０００２】
従来の空気調和機においては、外気温とは無関係に、使用者の設定した室内の目標温度になるように空気調和機を運転するような態様が一般的であった。すなわち、使用者が室内の目標温度を設定し、空気調和機は、室内に配置した温度センサに基づいて室内温度を検出し、この温度検出結果と目標温度との温度差に基づいて、温度調整するようになっていた。
【０００３】
これでは、室内にいる使用者が、空気調和された室内と、空気調和されていない戸外との間で頻繁に出入りしたり、暑い室外から寒いくらいに空気調和されている室内に入ったりすることがあると、人によっては体調を崩したり、不快感を覚えたりする、といった問題があった。
【０００４】
この問題を解決するために、外気温と室内温度を検出して、外気温に対する相対的な温度設定による空気調和を行うか、室内の絶対的な温度設定による空気調和を行うかを、その温度検出結果により選択できるようにしたものがある（例えば、特許文献１参照）。
【０００５】
図５は、上記特許文献１に記載された従来の空気調和機のブロック図である。図５に示されるように、従来の空気調和機は、温度調整装置２１を備え、その温度調整装置２１は、外気温を検出する室外温度センサ２２と、室内温度を検出する室内温度センサ２３と、制御部２４と、温度設定部２６と、空調機２８とから構成されている。
【０００６】
室外温度センサ２２は外気温を検出し、この温度検出結果を制御部２４に出力する。室内温度センサ２３は、自動車室内の所定位置に配置され、自動車の室内温度を検出し、制御部２４に検出結果を出力する。
【０００７】
温度設定部２６は、コンソールパネル上に配置された操作部を介して、使用者が所望の空気調和を選択し得るようになっており、室内の絶対的な温度と、外気温に対して何度低い温度に設定するかという相対温度との両方を設定し得るようになっている。制御部２４は、使用者により設定された絶対的な温度と相対温度とに応じて、空調機２８を制御する。
【特許文献１】特開平６−８２０７６号公報
【発明の開示】
【発明が解決しようとする課題】
【０００８】
上記従来の空気調和機のように、単に使用者が設定した相対温度に応じた空気調和を行うだけでは、外気温によっては、空気調和が充分でなく、場合によっては、暑いと感じる場合や、逆に冷えすぎと感じる場合が生じるといった課題があった。
【０００９】
本発明は、上記従来の課題を解決するもので、適度な空気調和を実現して、健康に優しく経済的にも優れた空気調和機を提供することを目的とする。
【課題を解決するための手段】
【００１０】
上記従来の課題を解決するために、本発明の空気調和機は、外気温を検出する外気温検出手段と、室内側空気の吸込み温度を検出する吸込み温度検出手段と、外気温からの温度
差を前記外気温に基づいて選定し、前記外気温と前記温度差とから第１の目標温度を設定する目標温度設定手段と、前記第１の目標温度と前記吸込み温度とに応じて室内温度を制御する温度調整手段と、第２の目標温度を入力する入力手段とを具備し、前記第１の目標温度に基づく空気調和運転と、前記第２の目標温度に基づく空気調和運転のいずれか一方もしくは両方の運転を選択できるようにしたもので、室内・外を頻繁に出入りする使用者の温度に対する感じ方に応じた調和運転を選択でき、体調の変化や不快感を減少させることができる。
【発明の効果】
【００１１】
本発明の空気調和機は、室内にいる使用者が空気調和されていない戸外との間で頻繁に出入りしたり、暑い室外から寒いくらいに空気調和されている室内に入ったりした場合に起こる体調の変化や不快感を減少させることができ、使用者の健康に配慮した空気調和を実現することができる。また、適度な空気調和を行うことにより、温度移行過渡期にも適用でき、経済的にも優れた空気調和を実現することができる。
【発明を実施するための最良の形態】
【００１２】
第１の発明は、外気温を検出する外気温検出手段と、室内側空気の吸込み温度を検出する吸込み温度検出手段と、外気温からの温度差を前記外気温に基づいて選定し、前記外気温と前記温度差とから第１の目標温度を設定する目標温度設定手段と、前記第１の目標温度と前記吸込み温度とに応じて室内温度を制御する温度調整手段と、第２の目標温度を入力する入力手段とを具備し、前記第１の目標温度に基づく空気調和運転と、前記第２の目標温度に基づく空気調和運転のいずれか一方もしくは両方の運転を選択できるようにしたもので、室内・外を頻繁に出入りする使用者の温度に対する感じ方に応じた調和運転を選択でき、体調の変化や不快感を減少させることができる。
【００１３】
第２の発明は、特に、第１の発明の目標温度設定手段は、吸込み温度に応じて、第１の目標温度と、第２の目標温度とを切り替えるもので、室内にいる使用者が、室内と戸外との間で頻繁に出入りしたり、暑い室外から寒いくらいに空気調和されている室内に入ったりした場合に起こる体調の変化や不快感を減少させることができ、使用者の健康に優しく、経済的にも優れた空気調和機を提供することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機のブロック図である。
【００１６】
図１において、本実施の形態における空気調和機８は、室外機１１と、室外機１１に連結された室内機１２から構成され、室外機１１には、外気温を検出する外気温検出手段２が設けられ、室内機１２には、室内側空気の吸込み温度、すなわち現在の室内温度を検出する吸込み温度検出手段３が設けられている。
【００１７】
目標温度設定手段４は、外気温検出手段２で検出される外気温と、吸込み温度検出手段３で検出される吸込み温度とを入力し、外気温との温度差を、外気温に応じて変化させながら第１の目標温度を設定するとともに、第１の目標温度と吸込み温度と入力手段６からの入力情報とを、温度調整手段５に送出する。
【００１８】
入力手段６は、リモコン７に設けられ、室内の絶対的な温度（以下、実温度設定という）に基づく空気調和を行う場合は、使用者が所望する室内温度、すなわち第２の目標温度を設定できるようになっており、また、実温度設定に基づく空気調和と、外気温に対する
相対的な温度（以下、温度差設定という）による空気調和の、いずれか一方もしくは両方の運転を選択できるようになっている。
【００１９】
温度調整手段５は、目標温度設定手段４から得られる情報に基づき、実温度設定または温度差設定のいずれか一方を用いて空気調和を行う。
【００２０】
ここで、本実施の形態における空気調和機の冷房運転時の動作を、図２を用いて説明する。図２は、代表的な外気温の一日の変化（０時から２４時まで）に対して、実温度設定による冷房運転を行う場合と、温度差設定による冷房運転を行う場合の室内温度の変化を示したものである。
【００２１】
図２に示されるように、実温度設定の場合は、外気温に関わらず、室内温度が、使用者により設定された第２の目標温度（設定温度ＴＢ）になるように制御されている。また、温度差設定の場合は、図２に示すように、外気温が高い場合は、外気温との温度差Ｔ１を大きく、外気温が低い場合は、温度差Ｔ１を小さくしながら、外気温より温度差Ｔ１だけ低い温度（設定温度ＴＡ）になるように、室内温度が制御されている。
【００２２】
なお、使用者が設定した実温度設定の情報を加味し、外気温と実温度設定の差が大きい場合は、それを反映してＴ１を大きめに設定することも可能である。
【００２３】
次に、本実施の形態における空気調和機の暖房運転時の動作を、図３を用いて説明する。図３は、代表的な外気温の一日の変化（０時から２４時まで）に対して、実温度設定による暖房運転を行う場合と、温度差設定による暖房運転を行う場合の室内温度の変化を示したものである。
【００２４】
図３に示されるように、実温度設定の場合は、外気温に関わらず、室内温度が使用者により設定された第２の目標温度（設定温度ＴＢ）になるように制御されている。温度差設定の場合は、外気温が高い場合は、温度差Ｔ２を小さく、外気温が低い場合は、温度差Ｔ２を大きくしながら、外気温より温度差Ｔ２だけ高い温度（設定温度ＴＡ）になるように、室内温度が制御されている。
【００２５】
なお、使用者の設定した実温度設定の情報を加味し、外気温と実温度設定の差が大きい場合は、それを反映して温度差Ｔ２を大きめに設定するも可能である。
【００２６】
（実施の形態２）
本発明の第２の実施の形態における空気調和機の冷房運転時の動作を、図４を用いて説明する。図４は、代表的な外気温の一日の変化（０時から２４時まで）に対して、実温度設定による冷房運転と温度差設定による冷房運転とを、吸込み温度に応じて切り替えた場合の室内温度の変化を示したものである。尚、上記第１の実施の形態における空気調和機と同一部分については、同一符号を付してその説明を省略する。
【００２７】
図４に示されるように、本実施の形態においては、吸込み温度Ｔ３が、所定温度Ｔ４以上の場合には、温度差設定による冷房運転を行い、吸込み温度Ｔ３が所定温度Ｔ４より小さい場合には実温度設定による冷房運転を行っている。
【００２８】
本実施の形態において、図２の場合と同様、実温度設定の場合は、外気温に関わらず、使用者により設定された第２の目標温度（設定温度ＴＢ）に室内温度が制御されている。温度差設定の場合は、外気温が高い場合は、温度差Ｔ１を大きく、外気温が低い場合は温度差Ｔ１を小さくしながら、外気温より温度差Ｔ１だけ低い温度（設定温度ＴＡ（点線））になるように、室内温度が制御されている。その結果、室内温度は、設定温度ＴＣ（太
い実線）となるように温度調整されている。
【００２９】
以上のように、本実施の形態では、吸込み温度に応じて、目標温度設定手段４で、第１の目標温度と、第２の目標温度とを切り替えるようにしたものである。
【００３０】
また、使用者の設定した実温度設定の情報を加味し、外気温と実温度設定の差が大きい場合は、それを反映して温度差Ｔ１を大きめに設定することも可能である。
【００３１】
なお、本実施の形態においては、実際の吸込み温度Ｔ３が、所定温度Ｔ４より小さい場合に、実温度設定による温度調整を行い、それ以外の場合は、温度差設定による温度調整を行う場合について述べたが、本発明はこれに限らず、例えば、外気温などの情報をさらに参考にしても良い。
【００３２】
また、図２の説明においては、設定温度ＴＡが、設定温度ＴＢよりも常に高い場合について説明したが、本発明はこれに限定されず、場合によっては設定温度ＴＢよりも設定温度ＴＡが低くなる場合があっても構わない。
【００３３】
また、図３の説明においては、設定温度ＴＡが設定温度ＴＢよりも常に低い場合について説明したが、本発明はこれに限定されず、場合によっては設定温度ＴＢよりも設定温度ＴＡが高くなる場合があっても構わない。
【００３４】
また、温度差Ｔ１および温度差Ｔ２の設定にあたって、外気温と吸込み温度と実温度設定とを用いる場合を示したが、その他にも、時間やカレンダーの情報、気象情報、過去の操作履歴、使用者により入力される性別や年齢の情報を、図示しない時計、センサ、リモコン等により取得し、それらの情報に基づいて温度差設定を行ってもよい。
【００３５】
例えば冷房運転の場合、時間やカレンダーの情報については、湿度の高い時期には、温度差設定を大きめに設定する。気象情報については、センサから湿度情報を取り込み、湿度が高い場合は、温度差設定を大きめに設定する。過去の履歴については、使用者が室内温度を比較的低めに設定する傾向がある場合は、温度差設定を大きめに設定する。性別や年齢については、使用者が男性より女性、若い人より高齢者の場合の方が、温度差設定を小さめに設定するといったことが考えられる。
【産業上の利用可能性】
【００３６】
以上のように、本発明に係る空気調和機は、使用者の健康に優しく、経済的にも優れたもので、家庭用、業務用の各種空気調和機に適用できる。
【図面の簡単な説明】
【００３７】
【図１】本発明の実施の形態１における空気調和機のブロック図
【図２】同空気調和機の冷房運転時の動作説明図
【図３】同空気調和機の暖房運転時の動作説明図
【図４】本発明の実施の形態２における空気調和機の冷房運転時の動作説明図
【図５】従来の温度差設定による温度調整を行う空気調和機のブロック図
【符号の説明】
【００３８】
２  外気温検出手段
３  吸込み温度検出手段
４  目標温度設定手段
５  温度調整手段
６  入力手段
７  リモコン
８  空気調和機
１１  室外機
１２  室内機
【図１】
2009092334.tif 000003
【図２】
2009092334.tif 000004
【図３】
2009092334.tif 000005
【図４】
2009092334.tif 000006
【図５】
2009092334.tif 000007